(57)【要約】      （修正有）【課題】コート紙に印刷層、アンカーコート層、透明樹脂層を設けて構成される紙製容器において、層間強度の低下のない紙製容器およびその製造方法を提供する。【解決手段】コート紙１に印刷層２上にエステル系の透明樹脂層３を設けてなる積層体１０を用いた紙製容器において、印刷層と透明樹脂層との間にエステル系のアンカーコート層４を設けてある。また、コート紙上に印刷層を設ける工程、前記印刷層上にエステル系のアンカーコート層を設ける工程、前記エステル系のアンカーコート層上に押し出し法によってエステル系の透明樹脂層を設ける工程とを含む積層体の製造方法である。【選択図】図１
2016005963.tif 000002
【特許請求の範囲】
【請求項１】
コート紙に印刷層上にエステル系透明樹脂層を設けてなる積層体を用いた紙製容器において、印刷層と透明樹脂層との間にエステル系アンカーコート層を設けてあることを特徴とする紙製容器。
【請求項２】
コート紙上に印刷層を設ける工程、
前記印刷層上にエステル系アンカーコート層を設ける工程、
前記エステル系アンカーコート層上に押し出し法によってエステル系透明樹脂層を設ける工程とを含むことを特徴とする積層体の製造方法。
【請求項３】
請求項２に記載の製造方法で製造された積層体を用いたことを特徴とする紙製容器。
【発明の詳細な説明】
【技術分野】
【０００１】
本発明は紙製容器およびその製造方法に関するものである。
【背景技術】
【０００２】
紙製容器は紙製容器包装とも呼ばれ、紙箱、包装紙、紙袋、アルミ付き紙容器、ふた類、紙カップなどの種類に分類される。紙製容器は古くから菓子類や食品、煙草、化粧品などの包装に使われてきた。
【０００３】
紙製容器の利点は、紙基材が容易に印刷ができる材料であることにより、包装の表面に内容物に関する情報やイメージを表す絵や写真或いはメーカーのロゴマーク、また近年では商品の製造から流通、販売、消費にいたるまでの管理を目的としてバーコードなどが表示してあることも多い。
【０００４】
紙製容器のもうひとつの利点は紙基材が比較的安価な材料であり、紙箱やその他の容器への加工も比較的容易である。さらに使用後は廃棄される用途にも用いることが可能であり、廃棄に際して焼却することが容易であり、再生紙としてリサイクルが可能な材料でもある。そのような利便性に優れていることから、現代生活において紙製容器は不可欠なものになっている。
【０００５】
流通や販売の場面においては、内容物に関して、紙製容器の外側表面に印刷で表示された、内容物の情報やイメージを表す絵や写真、ロゴマークが内容物の商品価値の一部を担っていると言っても良い。スーパーマーケットやコンビニエンスストアなど、非対面式の販売形式を取る小売り店の場合には特にその傾向は顕著である。そのため商品の差別化やイメージアップを図る目的で、印刷の出来ばえあるいは光沢などの表面仕上げにもより美麗で高度なものが求められるようになっている。
【０００６】
さらに近年では生活様式の変化とともに、紙製容器は単に内容物を入れておく容器としてだけではなく、冷凍庫などでの長期の保存や電子レンジなどで加熱調理する際にもそのまま用いる場合があるように、機能性を求める要求品質も多くなっている。また機能性と同時に、冷蔵、冷凍などの保存環境下、あるいは高温多湿の環境下において、層間剥離などの外観不良の発生することのない耐久性のある紙製容器が求められるようになってきたのは当然のことである。
【０００７】
一方印刷基材としての紙基材は、紙の繊維が絡み合って存在しているために、微視的には表面に不均一や凹凸があって必ずしも印刷適性が優れているとはいえない。そのためコート紙といわれる、塗料を塗工した印刷用紙が高級印刷を目的とした用途に広く用いられている。
【０００８】
また表面に光沢を出し高級感を与える目的で、コート紙に印刷した後表面に透明な樹脂層を設けることも広く行なわれている。表面にプラスチックフィルムをラミネートする方法もあるが、コスト面では高価なものになる。そのため印刷機によるオーバーコートのほか、押し出し機によって印刷面に透明樹脂層を設ける方法が用いられることもある。
【０００９】
コート紙に印刷を施した後、押し出し機によって印刷面に透明樹脂層を設ける場合、従来よりエステル系樹脂を用いることが行なわれてきた。この場合、印刷面に直接押し出し法で透明樹脂層を設ける場合もあり、印刷面の上にアンカーコート層を設けてのち透明樹脂層を設ける場合も知られている。
【００１０】
しかしながら、コート紙のコート層あるいはインキ層があることによって、紙基材と透明樹脂層とのラミネート強度が低下することが知られており、紙製容器の用途によってはデラミネーションといわれる層間剥離が発生する場合も有って、外観不良を引き起こすことが問題とされてきた。例えば電子レンジで加熱・調理する用途に用いられる紙製容器である。
【００１１】
またアンカーコートを用いた場合においても、従来知られている方法では紙基材と透明樹脂層とのラミネート強度は不十分であった。
【００１２】
層間剥離の一因がコート紙のコート層に起因するという観点から、コート層のないノーコート紙を用いることも考えられるが、表面の平滑性が不十分なために印刷適性が劣る結果となり、印刷品位を確保することが困難である上に、インキ層と透明樹脂層の密着の向上にはつながらない結果であった。
【先行技術文献】
【特許文献】
【００１３】
【特許文献１】特開平６−２９３１１４号公報
【特許文献２】特開平１０−１５１６５５号公報
【特許文献３】特開平１１−２５４５９５号公報
【発明の概要】
【発明が解決しようとする課題】
【００１４】
本発明はこのような状況に鑑み、コート紙に印刷層、アンカーコート層、および透明樹脂層を設けて構成される紙製容器において、層間強度の低下のない紙製容器およびその製造方法の提供を課題とするものである。
【課題を解決するための手段】
【００１５】
上記の課題を解決するための手段として、請求項１に記載の発明は、コート紙に印刷層上にエステル系透明樹脂層を設けてなる積層体を用いた紙製容器において、印刷層と透明樹脂層との間にエステル系アンカーコート層を設けてあることを特徴とする紙製容器である。
【００１６】
また、請求項２に記載の発明は、コート紙上に印刷層を設ける工程、前記印刷層上にエステル系アンカーコート層を設ける工程、前記エステル系アンカーコート層上に押し出し法によってエステル系透明樹脂層を設ける工程とを含むことを特徴とする積層体の製造方法である。
【００１７】
また、請求項３に記載の発明は、請求項２に記載の製造方法で製造された積層体を用いたことを特徴とする紙製容器である。
【発明の効果】
【００１８】
請求項１の発明によれば、コート紙に印刷層、アンカーコート層および透明樹脂層によって構成される紙製容器において、層間強度の低下のない紙製容器の提供が可能になる。
【００１９】
請求項２の発明によれば、コート紙に印刷を施してのちアンカーコート層を設け、さらに表面に押し出し法による透明樹脂層を設けて構成される紙製容器において、層間強度の低下のない積層体の製造方法の提供が可能になる。
【００２０】
請求項３の発明によれば、コート紙に印刷を施してのちアンカーコート層を介して表面
に押し出し法による透明樹脂層を設けて構成される積層体を用いて、層間強度の低下のない紙製容器の提供が可能になる。
【図面の簡単な説明】
【００２１】
【図１】図１は本発明による、紙製容器の一実施形態の部分断面模式図である。
【図２】図２は本発明による、紙製容器の製造方法についての一例についてのフロー図である。
【発明を実施するための形態】
【００２２】
以下に本発明による紙製容器およびその製造方法を実施するための形態について図１および図２を用いて詳細に説明する。
【００２３】
図１は本発明による、紙製容器の一実施形態の部分断面模式図である。紙基材として、コート紙（１）を用いる。コート紙（１）には印刷層（２）が設けてあり、押し出し法による透明樹脂層（３）はアンカーコート層（４）を介して印刷層（２）に積層される。
【００２４】
コート紙（１）の、印刷層（２）とは反対側には必要に応じて紙製容器の使用用途や要求品質に応じて、その他の層（５）が設けられる。こうして得られたものが積層体（１０）である。積層体（１０）によって構成される紙製容器が本発明による紙製容器である。
【００２５】
コート紙（１）は特に限定するものではなく、印刷やコーティングの加工に不具合のないものであれば、紙製容器として使用する用途や要求品質によって、製紙メーカーから上梓されているものから適宜選択することができる。
【００２６】
印刷層（２）を設けるに当たっては特に限定するものではなく、公知の印刷方法を用いて行なうことができる。
【００２７】
アンカーコート層（４）を設けるに当たっては、公知のコーティング方法あるいは公知の印刷方法を用いてアンカーコート剤の塗布を行なうことができる。ラミネート工程を用いる場合には、押し出し法による透明樹脂層（３）を形成する押し出し機の塗布装置を用いてインラインで塗布することもでき、オフラインで塗布するのでもかまわない。
【００２８】
印刷機を用いてアンカーコート層（４）を設ける場合には、印刷と同時にインラインによっても設けることができ、オフラインとしてもかまわない。アンカーコート剤はエステル系アンカーコート剤を用いることがよく、例えば東京インキ社製、ＦＣ４３２０などが上梓されている。
【００２９】
押し出し法による透明樹脂層（３）には、エステル系押し出し樹脂を用いることができる。エステル系押し出し樹脂として、例えばポリエチレンテレフタレート（ＰＥＴ）あるいはポリブチレンテレフタレート（ＰＢＴ）などを用いることができる。
【００３０】
エステル系アンカーコート剤と押し出し法によるエステル系透明樹脂の組み合わせによってよりラミネート強度をより強固にすることができる。したがってこれらを用いて構成される紙製容器はラミネート強度がより強固であり、冷凍庫などでの長期の保存環境下あるいは高温、高湿度の環境下においても層間強度の低下のない紙容器であり、紙基材層と透明樹脂層が剥離することがなく外観不良を起こすことがない。
【００３１】
図２は本発明による紙製容器の製造方法についての一例についてのフロー図である。
【００３２】
はじめにコート紙（１）に印刷層（２）を設ける。印刷は公知の印刷方法を用いて行な
うことができる。
【００３３】
次にアンカーコート剤を塗布して、アンカーコート層（４）を設ける。アンカーコートは公知の印刷方法あるいはコーティング方法を用いて行なうことができる。
【００３４】
ラミネート工程を用いる場合には、押し出し法による透明樹脂層（３）を形成する押し出し機の塗布装置を用いてインラインで塗布することもでき、オフラインで塗布するのでもかまわない。
【００３５】
アンカーコート剤には例えばエステル系アンカーコート剤がよく、例えば東京インキ社製、ＦＣ４３２０を用いることができる。アンカーコート剤の塗布量は特に制約はなく任意でよい。またアンカーコート層は全面コートによって形成してもよく、パターンコートにしてもよい。
【００３６】
次に押し出し法による透明樹脂層（３）を押し出し機によって形成する。透明樹脂にはポリエチレンテレフタレート（ＰＥＴ）あるいはポリブチレンテレフタレート（ＰＢＴ）などのエステル系樹脂を用いることができる。
【００３７】
さらにコート紙（１）の印刷を施した面とは反対の面に、その他の層（５）を設けて積層体（１０）を製造することができ、この積層体（１０）を用いて紙製容器を製造することができる。
【実施例】
【００３８】
＜実施例１＞
本発明による評価サンプルの作成手順は以下の通りである。
コート紙に、ウレタン系のインキを用いて印刷を施し、アンカーコートにはエステル系アンカーコート剤を用いた。エステル系樹脂を押し出し機によって押し出し、アンカーコート層上に透明樹脂層を形成した。
【００３９】
こうして得られた積層体の、透明樹脂層と紙基材のラミネート強度を測定した。ラミネート強度の測定は、印刷インキ層のある部分と印刷インキ層のない部分（無地部）の両方を測定した。
【００４０】
＜比較例１＞
評価サンプルの作成手順は以下の通りである。
コート紙に、ウレタン系のインキを用いて印刷を施し、アンカーコートにはポリエチレン系アンカーコート剤を用いた。エステル系樹脂を押し出し機によって押し出し、アンカーコート層上に透明樹脂層を形成した。
【００４１】
こうして得られた積層体の、透明樹脂層と紙基材のラミネート強度を測定した。ラミネート強度の測定は、印刷インキ層のある部分を測定した。
【００４２】
＜比較例２＞
評価サンプルの作成手順は以下の通りである。
コート紙に、ウレタン系のインキを用いて印刷を施し、アンカーコートは塗布していない。エステル系樹脂を押し出し機によって押し出し、インキ層上に直接透明樹脂層を形成した。
【００４３】
こうして得られた評価サンプルの透明樹脂層と紙基材のラミネート強度を測定した。ラミネート強度の測定は、印刷インキ層のある部分および印刷インキ層のない部分（無地部
）の両方を測定した。
【００４４】
実施例１、比較例１〜２のラミネート強度測定結果を表１に示す。
【００４５】
【表１】
2016005963.tif 000003
ラミネート強度の単位はＮ／１５ｍｍである。
【００４６】
実施例１は、ラミネート強度がインキのある部分およびインキのない部分（無地部）の比較ではほとんど差が見られない。またインキのある部分およびインキのない部分（無地部）のいずれにおいてもラミネート強度は比較例１、比較例２より優れている。
【００４７】
すなわち本発明によってコート紙に印刷を施してのちアンカーコート層を介して表面に押し出し法による透明樹脂層を設けてなる積層体によって構成される紙製容器において、層間強度の低下のない紙製容器およびその製造方法の提供が可能であることを検証することができた。
【産業上の利用可能性】
【００４８】
本発明による紙製容器およびその製造方法は、あらゆる分野の紙製容器に適用が可能であり、層間強度の低下のない紙製容器およびその製造方法の提供が可能である。
【符号の説明】
【００４９】
１・・・コート紙
２・・・印刷層
３・・・透明樹脂層
４・・・アンカーコート層
５・・・その他の層
１０・・・積層体
【図１】
2016005963.tif 000004
【図２】
2016005963.tif 000005